(57)【要約】      （修正有）【課題】分解可能の傘構造を提供する。【解決手段】中心棒１や上、下巣２，３、上カーバー４、グリップ部５、複数の中間ディスク８及び複数の支持骨６，７からなる。傘の各部材を、ともに、分解や組み立てることが可能にするため、その部材の簡素化や一体化が実現され、また、簡単に係合やロックすることができ、任意に、その一つの部材を交換できる。そのため、傘の耐用寿命が向上され、組み立ての便利性が改善される。【選択図】図１
0003188319.tif 000002
【実用新案登録請求の範囲】
【請求項１】
上嵌合座と下嵌合座とが係合され、上端に、ネジ端が形成される中心棒と、
リング体の上係合座があり、外周において、放射状に、複数の上嵌合管が設けられ、上係合座と上嵌合管とが、一体成型され、上係合座が、上嵌合座に係合される上巣と、
リング体の下係合座があり、外周において、放射状に、複数の下嵌合管が設けられ、下係合座と下嵌合管とが、一体成型され、下係合座が、下嵌合座に係合される下巣と、
底面に、ねじ穴が形成され、中心棒上のネジ端に係合される上カーバーと、
頂面に、グリップがあり、カーバーが設けられ、上記グリップとカーバーとの頂面に、穴が形成されて、中心棒の下端に係合されるグリップ部と、
その一端が、上記上巣の上嵌合管に嵌設される複数の上支持骨と、
その一端が、下巣の下嵌合管に嵌設される複数の下支持骨と、
一体成型からなる二つの嵌合管で、その一つの嵌合管が、上支持骨の適当な箇所に係合されて、もう一つの嵌合管が、下支持骨の一端に嵌設される複数の中間ディスクと、
が含有される、ことを特徴とする分解可能の傘構造。
【請求項２】
上記上巣の上嵌合管のその一側において、所定の距離に、二つの嵌合槽が形成され、対応した上支持骨の一端において、突出と案内リブが形成されることを特徴とする請求項１に記載の分解可能の傘構造。
【請求項３】
上記下巣の下嵌合管のその一側において、所定の距離に、二つの嵌合槽が形成され、対応した下支持骨の一端において、突出と案内リブが形成されることを特徴とする請求項１に記載の分解可能の傘構造。
【請求項４】
上記中間ディスクの嵌合管の一側において、所定の距離に、二つの嵌合槽が形成され、対応した下支持骨の一端において、突出と案内リブが形成されることを特徴とする請求項１に記載の分解可能の傘構造。
【請求項５】
上記中心棒の下端に、横方向棒が貫設され、対応したグリップ部に、四角穴が形成されることを特徴とする請求項１に記載の分解可能の傘構造。
【考案の詳細な説明】
【技術分野】
【０００１】
本考案は、分解可能の傘構造に関し、特に、傘の各部材が、任意に、取り外すことや組立てることができるようにすることにより、耐用寿命や使用便利性が向上されるものに関する。
【背景技術】
【０００２】
市販の既存の傘の構造は、紐で結ぶことで、傘の上、下巣と支持骨とを枢着固定するのが多く、その中間ディスクが、プレスによって成型されてから、組立てられ、そのため、組み立てに、時間が掛かるし、簡単ではない。
【０００３】
また、市場に、傘の骨同士を連接する構造があり、メイン棒と傘の巣を、簡単に組立てられるように、嵌設することにより、作業員が、係合することにより、組立てることができるため、快速的に、傘の巣と上記らの傘の骨を互いに定位させ、作業便利性が、向上される。
【０００４】
上記従来の傘構造は、傘が損害した場合、部品交換などの基本機能要求に満足できるが、わずかの部品について実行でき、傘の巣や傘の骨等の各部材の交換ができず、実用的なものとは言えない。
【０００５】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００６】
本考案の主な目的は、傘の各部材を、任意に分解や組み立てすることができ、部材の交換が可能にして、耐用寿命を向上させる、分解可能の傘構造を提供する。
【０００７】
本考案の他の目的は、各部材同士の間において、簡単に係合やロックすることにより、組み立て便利性が向上される、分解可能の傘構造を提供する。
【課題を解決するための手段】
【０００８】
上記の目的を達成するための具体の技術手段や方法は、次の通りであり、
耐用寿命を向上するための本考案に係る分解可能の傘構造は、中心棒や上、下巣、上カーバー、グリップ部、複数の中間ディスク及び複数の上、下支持骨からなり、その中心棒に、上、下巣が係合され、上カーバーとグリップ部が螺着され、上、下巣に、複数の上、下支持骨が嵌設され、上支持骨が、中間ディスクに係合され、下支持骨の一端に、嵌設される。
【０００９】
組み立て便利性を実現するため、本考案に係る分解可能の傘構造は、上記上巣の上嵌合管の一側に、二つの嵌合槽が形成され、対応した上支持骨の一端に、突出と案内リブが形成され、上記下巣にも、上巣と同じような構造が採用され、また、上記中間ディスクの係合体の一側に、二つの嵌合槽が形成され、対応した下支持骨の一端に、突出と案内リブが形成され、上記中心棒の下端に、横方向棒が貫設されて、対応したグリップ部に、四角穴が形成されることにより、実現される。
【００１０】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１１】
図１と図２のように、本考案は、
上嵌合座１１と下嵌合座１２とが係合され、上端に、ネジ端１３が形成される中心棒１と、
リング体の上係合座２１があり、外周において、放射状に、八つの上嵌合管２２が設けられ、上係合座２１と上嵌合管２２とが、一体成型され、上係合座２１が、上嵌合座１１に係合される上巣２と、
リング体の下係合座３１があり、外周において、放射状に、八つの下嵌合管３２が設けられ、下係合座３１と下嵌合管３２とが、一体成型され、下係合座３１が、下嵌合座１２に係合される下巣３と、
底面に、ねじ穴４１が形成され、中心棒１上のネジ端１３に係合される上カーバー４と、
頂面に、グリップ５１があり、カーバー５２が設けられ、上記グリップ５１とカーバー５２の頂面に、穴５３が形成され、中心棒１の下端に係合されるグリップ部５と、
その一端が、上巣２の上嵌合管２２に嵌設される八つの上支持骨６と、
その一端が、下巣３の下嵌合管３２に嵌設される八つの下支持骨７と、
一体成型からなる二つの嵌合管８１で、その一つの嵌合管８１が、上支持骨６の適当な箇所に係合されて、もう一つの嵌合管８１が、下支持骨７の一端に嵌設される八つの中間ディスク８と、
が含有される。
【００１２】
以上のように、上記上巣２の上嵌合管２２の一側に、所定の距離に、二つの嵌合槽２２１が形成され、また、対応した上支持骨６の一端に、突出６１と案内リブ６２が形成される（図３と図４のように）。
【００１３】
以上のように、上記下巣３の下嵌合管３２の一側に、所定の距離に、二つの嵌合槽３２１が形成され、また、対応した下支持骨７の一端に、突出７１と案内リブ７２が形成される（図５と図６のように）。
【００１４】
以上のように、上記中間ディスク８の嵌合管８１の一側に、所定の距離に、二つの嵌合槽８１１が形成され、対応した下支持骨７の一端に、突出７１と案内リブ７２が形成される（図７と図８のように）。
【００１５】
以上のように、上記中心棒１の下端において、横方向棒１４が貫設され、対応したグリップ部５に、四角穴５４が形成される（図９と図１０のように）。
【００１６】
本考案によれば、上巣２の上係合座２１と、下巣３の下係合座３１とが、中心棒１の上嵌合座１１と下嵌合座１２に嵌設されて、上支持骨６の突出６１が、上嵌合管２２の嵌合槽２２１内に嵌設され、案内リブ６２が、もう一つの嵌合槽２２１内に嵌設されて、上記下支持骨７の突出７１が、下嵌合管３２の嵌合槽３２１内に嵌設され、また、案内リブ７２が、もう一つの嵌合槽３２１内に嵌設されて、上記下支持骨７のもう一つの端において、対応した突出７１と案内リブ７２とが、中間ディスク８の二つの嵌合槽８１１内に嵌設されるため、突出６１、７１と案内リブ６１、７２とが、嵌合槽２２１、３２１、８１１内に係止され、また、管壁の摩擦により、安定的に組立てられ、上記中心棒１の下端に貫設されたカーバー５２が、グリップ５１上に螺着され、また、中心棒１に貫設された横方向棒１４が、グリップ５１の四角穴５４内に係止されるため、グリップ５１と中心棒１とが互いに変位することができなく、また、カーバー５２を、グリップ５１の頂端に螺着すると、横方向棒１４が、カーバー５２の下方に抵当するように固定され、上記各部材は、任意に、取り外して組立てることができ、損害した部材だけを交換することができ、これにより、耐用寿命が向上されて、組み立て便利性が実現される。
【００１７】
そのため、本考案は、より進歩的かつより実用的で、法に従って実用新案登録請求を出願する。
【００１８】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【図面の簡単な説明】
【００１９】
【図１】本考案の一部構造外観分解図
【図２】本考案の全体構造外観立体図
【図３】本考案の上巣と上支持骨の外観分解の立体拡大図
【図４】本考案の上巣と上支持骨の組立て状態の側面断面図
【図５】本考案の下巣と下支持骨の外観分解の立体拡大図
【図６】本考案の下巣と下支持骨の組立て状態の側面断面図
【図７】本考案の中間ディスクと下支持骨の外観分解の立体拡大図
【図８】本考案の中間ディスクと下支持骨の組立て状態の側面断面図
【図９】本考案の中心棒とグリップ部の外観分解の立体拡大図
【図１０】本考案の中心棒とグリップ部の組立て状態の側面断面図
【符号の説明】
【００２０】
１         中心棒
１１ 上嵌合座
１２            下嵌合座
１３ ネジ端
１４            横方向棒
２         上巣
２１ 上係合座
２２            上嵌合管
２２１    嵌合槽
３         下巣
３１ 下係合座
３２            下嵌合管
３２１    嵌合槽
４         上カーバー
４１ ねじ穴
５         グリップ部
５１ グリップ
５２            カーバー
５３ 穴
５４            四角穴
６         上支持骨
６１ 突出
６２            案内リブ
７         下支持骨
７１ 突出
７２            案内リブ
８         中間ディスク
８１ 嵌合管
８１１    嵌合槽
【図１】
0003188319.tif 000003
【図２】
0003188319.tif 000004
【図３】
0003188319.tif 000005
【図４】
0003188319.tif 000006
【図５】
0003188319.tif 000007
【図６】
0003188319.tif 000008
【図７】
0003188319.tif 000009
【図８】
0003188319.tif 000010
【図９】
0003188319.tif 000011
【図１０】
0003188319.tif 000012